(57)【要約】【課題】  効率的な発振器を有するディスプレイパネルの駆動装置を提供する。【解決手段】 メインディスプレイ制御部、アイコンディスプレイ制御部、ドット・マトリックスディスプレイ制御部、第1発振器、第2発振器、アイコン駆動部、及びドット・マトリックス駆動部を含む。第1発振器は、第1周波数のパルスを含む第1クロック信号を生成し、ドット・マトリックスディスプレイ制御部に供給する。第2発振器は、前記第1周波数より低い第2周波数のパルスを含む第2クロック信号を生成し、アイコンディスプレイ制御部に供給する。【選択図】 図２
2004334202.tif 000002
【特許請求の範囲】
【請求項１】
入力されるアイコンデータによってあらかじめ設定されてディスプレイされるアイコンが存在するアイコン領域と、入力されるドット・マトリックスデータによって可変的な映像がディスプレイされるドット・マトリックス領域とを備えるディスプレイパネルの駆動装置において、
入力映像データを前記アイコンデータと前記ドット・マトリックスデータとに分類して出力するメインディスプレイ制御部と、
前記ディスプレイパネルの前記アイコン領域の内部配列に応じて、前記メインディスプレイ制御部から出力されるアイコンデータを処理して出力すると同時にタイミング制御信号を出力するアイコンディスプレイ制御部と、
前記ディスプレイパネルの前記ドット・マトリックス領域の内部配列に応じて、前記メインディスプレイ制御部から出力されるドット・マトリックスデータを処理して出力すると同時にタイミング制御信号を出力するドット・マトリックスディスプレイ制御部と、
第1周波数のパルスを含む第1クロック信号を生成し、前記ドット・マトリックスディスプレイ制御部に供給する第1発振器と、
前記第1周波数より低い第2周波数のパルスを含む第2クロック信号を生成し、前記アイコンディスプレイ制御部に供給する第2発振器と、
前記アイコンディスプレイ制御部から出力される前記アイコンデータ及び前記タイミング制御信号に基づいて前記ディスプレイパネルの前記アイコン領域を駆動するアイコン駆動部と、
前記ドット・マトリックスディスプレイ制御部から出力される前記ドット・マトリックスデータ及び前記タイミング制御信号に基づいて前記ディスプレイパネルの前記ドット・マトリックス領域を駆動するドット・マトリックス駆動部と、
を備えるディスプレイパネルの駆動装置。
【請求項２】
メモリを更に備え、
前記ドット・マトリックスディスプレイ制御部によって前記メインディスプレイ制御部から出力される前記ドット・マトリックスデータが前記メモリに貯蔵され、前記ドット・マトリックスディスプレイ制御部から出力される前記タイミング制御信号によって前記メモリに貯蔵されたドット・マトリックスデータが前記ドット・マトリックスディスプレイ制御部によって読み出されて出力されることを特徴とする請求項１に記載のディスプレイパネルの駆動装置。
【発明の詳細な説明】
【技術分野】
【０００１】
本発明は、ディスプレイパネル、例えば、電界-発光ディスプレイパネルの駆動装置に係り、特に、入力されるアイコンデータによってあらかじめ設定されてディスプレイされるアイコンが存在するアイコン領域と、入力されるドット・マトリックスデータによって可変的な映像がディスプレイされるドット・マトリックス領域とを備えるディスプレイパネルの駆動装置に関する。
【背景技術】
【０００２】
図1を参照すれば、通常のディスプレイパネル3、例えば、携帯電話に使われる電界-発光ディスプレイパネルはアイコン領域31とドット・マトリックス領域32とを含む（特許文献１参照。）。このようなディスプレイパネルの構造については特許文献１に開示されているのでその詳細な説明は省略する。特許文献１に開示されたように、アイコン領域31の内部には所定形状のアイコンをディスプレイするために相異なる形状のディスプレイセルが配列され、ドット・マトリックス領域32の内部には可変的な映像をディスプレイするための略同一形状のディスプレイセルが規則的に配列される。
【０００３】
このようなディスプレイパネル3の通常の駆動装置はディスプレイ制御部1、アイコン駆動部21、ドット・マトリックス駆動部22、及び直流-直流変換器4を含む。ディスプレイ制御部1はメインディスプレイ制御部11、アイコンディスプレイ制御部12、ドット・マトリックスディスプレイ制御部13、発振器14、及びメモリ15を含む。ディスプレイ制御部1は入力直流電圧としてのバッテリー電圧VBAが若干調整された制御用直流電圧VDDによって動作する。
【０００４】
メインディスプレイ制御部11は、入力映像データDIMをアイコンデータDICとドット・マトリックスデータDDMとに分類して出力する。アイコンディスプレイ制御部12は、ディスプレイパネル3のアイコン領域31の内部配列に応じて、メインディスプレイ制御部11からのアイコンデータDICを処理し、該処理されたアイコンデータDICDを出力すると同時にタイミング制御信号DICCを出力する。ドット・マトリックスディスプレイ制御部13は、ディスプレイパネル3のドット・マトリックス領域32の内部配列に応じて、メインディスプレイ制御部11からのドット・マトリックスデータDDMを処理し、該処理されたドット・マトリックスデータDDMDを出力すると同時にタイミング制御信号DDMCを出力する。ここで、メインディスプレイ制御部11からのドット・マトリックスデータDDMはドット・マトリックスディスプレイ制御部13によってメモリ15に貯蔵される。また、ドット・マトリックスディスプレイ制御部13から出力されるタイミング制御信号DDMCによってメモリ15に貯蔵されたドット・マトリックスデータDDMDがドット・マトリックスディスプレイ制御部13によって読み出されて出力される。一方、発振器14は、一定の周波数のパルスを含むクロック信号CLK1を生成し、アイコンディスプレイ制御部12及びドット・マトリックスディスプレイ制御部13に供給する。
【０００５】
アイコン駆動部21はアイコンディスプレイ制御部12からのアイコンデータDICD及びタイミング制御信号DICCに基づいてアイコン駆動信号SICを生成してディスプレイパネル3のアイコン領域31を駆動する。ドット・マトリックス駆動部22はドット・マトリックスディスプレイ制御部13からのドット・マトリックスデータDDMD及びタイミング制御信号DDMCに基づいてドット・マトリックス駆動信号SDMを生成してディスプレイパネル3のドット・マトリックス領域32を駆動する。直流-直流変換器4は、入力直流電圧としてのバッテリー電圧VBAをコイルによって昇圧し、該昇圧されたブースト電圧V1をドット・マトリックス駆動部22及びアイコン駆動部21に供給する。
【０００６】
ディスプレイ制御部1において、アイコンディスプレイ制御部12に必要なクロック信号の周波数はドット・マトリックスディスプレイ制御部13に必要なクロック信号の周波数より相当低い。それにも拘らず、上記のような通常の駆動装置によれば、単一発振器14からの高周波数のクロック信号CLK1がドット・マトリックスディスプレイ制御部13及びアイコンディスプレイ制御部12に供給される。これにより、アイコンディスプレイ制御部12の消費電力が不必要に高まるという問題点がある。このような問題点は、アイコンディスプレイ制御部12が常に動作してアイコン領域31が常にディスプレイされる応用装置、例えば、携帯電話においてより深刻であり、使用者がバッテリーを頻繁に充電する必要があるという煩わしさも招く。
【特許文献１】米国特許第6，236，443号公報
【発明の開示】
【発明が解決しようとする課題】
【０００７】
本発明の目的は、アイコン領域とドット・マトリックス領域とを備えるディスプレイパネルの駆動装置において、駆動電力の効率性を向上させて応用装置の消費電力を削減し、使用者の利便性を向上させうる駆動装置を提供することである。
【課題を解決するための手段】
【０００８】
前記目的を達成するために本発明は、入力されるアイコンデータによってあらかじめ設定されてディスプレイされるアイコンが存在するアイコン領域と、入力されるドット・マトリックスデータによって可変的な映像がディスプレイされるドット・マトリックス領域とを備えるディスプレイパネルの駆動装置であって、メインディスプレイ制御部、アイコンディスプレイ制御部、ドット・マトリックスディスプレイ制御部、第1発振器、第2発振器、アイコン駆動部、及びドット・マトリックス駆動部を含む。
【０００９】
前記メインディスプレイ制御部は、入力映像データを前記アイコンデータと前記ドット・マトリックスデータとに分類して出力する。前記アイコンディスプレイ制御部は、前記ディスプレイパネルの前記アイコン領域の内部配列に応じて、前記メインディスプレイ制御部からのアイコンデータを処理して出力すると同時にタイミング制御信号を出力する。前記ドット・マトリックスディスプレイ制御部は、前記ディスプレイパネルの前記ドット・マトリックス領域の内部配列に応じて、前記メインディスプレイ制御部からのドット・マトリックスデータを処理して出力すると同時にタイミング制御信号を出力する。前記第1発振器は第1周波数のパルスを含む第1クロック信号を生成し、前記ドット・マトリックスディスプレイ制御部に供給する。前記第2発振器は、前記第1周波数より低い第2周波数のパルスを含む第2クロック信号を生成し、前記アイコンディスプレイ制御部に供給する。前記アイコン駆動部は前記アイコンディスプレイ制御部からのアイコンデータ及びタイミング制御信号に基づいて前記ディスプレイパネルの前記アイコン領域を駆動する。前記ドット・マトリックス駆動部は前記ドット・マトリックスディスプレイ制御部からのドット・マトリックスデータ及びタイミング制御信号に基づいて前記ディスプレイパネルの前記ドット・マトリックス領域を駆動する。
【発明の効果】
【００１０】
前述したように、本発明に係るディスプレイパネルの駆動装置によれば、駆動電力の効率性が向上し応用装置の消費電力が低減されうる。
【発明を実施するための最良の形態】
【００１１】
以下、本発明に係る望ましい実施形態が詳細に説明される。
【００１２】
図2を参照すれば、本発明に係る装置によって駆動されるディスプレイパネル3、例えば、携帯電話に使われる電界-発光ディスプレイパネルはアイコン領域31とドット・マトリックス領域32とを含む。特許文献１に開示されているように、アイコン領域31の内部には所定形状のアイコンをディスプレイするために相異なる形状のディスプレイセルが配列され、ドット・マトリックス領域32の内部には可変的な映像をディスプレイするための略同一形状のディスプレイセルが規則的に配列される。
【００１３】
このようなディスプレイパネル3の本発明に係る駆動装置はディスプレイ制御部1、アイコン駆動部21、ドット・マトリックス駆動部22、及び直流-直流変換器4を含む。ディスプレイ制御部1は、メインディスプレイ制御部11、アイコンディスプレイ制御部12、ドット・マトリックスディスプレイ制御部13、第1発振器141、第2発振器142、及びメモリ15を含む。ディスプレイ制御部1は入力直流電圧としてのバッテリー電圧VBAが若干調整された制御用直流電圧VDDによって動作する。
【００１４】
メインディスプレイ制御部11は入力映像データDIMをアイコンデータDICとドット・マトリックスデータDDMとに分類して出力する。アイコンディスプレイ制御部12は、ディスプレイパネル3のアイコン領域31の内部配列に応じて、メインディスプレイ制御部11からのアイコンデータDICを処理し、該処理されたアイコンデータDICDを出力すると同時にタイミング制御信号DICCを出力する。ドット・マトリックスディスプレイ制御部13は、ディスプレイパネル3のドット・マトリックス領域32の内部配列に応じて、メインディスプレイ制御部11からのドット・マトリックスデータDDMを処理し、該処理されたドット・マトリックスデータDDMDを出力すると同時にタイミング制御信号DDMCを出力する。ここで、メインディスプレイ制御部11からのドット・マトリックスデータDDMはドット・マトリックスディスプレイ制御部13によってメモリ15に貯蔵される。また、ドット・マトリックスディスプレイ制御部13から出力されるタイミング制御信号DDMCによってメモリ15に貯蔵されたドット・マトリックスデータDDMDがドット・マトリックスディスプレイ制御部13によって読み出されて出力される。
【００１５】
一方、ディスプレイ制御部1の第1発振器141は、第1周波数のパルスを含む第1クロック信号CLK1を生成し、ドット・マトリックスディスプレイ制御部13に供給する。第2発振器は、前記第1周波数より低い第2周波数のパルスを含む第2クロック信号CLK2を生成し、アイコンディスプレイ制御部12に供給する。これにより、駆動電力の効率性が向上し応用装置の消費電力が削減されうる。なぜならば、アイコンディスプレイ制御部12に必要なクロック信号の周波数がドット・マトリックスディスプレイ制御部13に必要なクロック信号の周波数より低いからである。
【００１６】
アイコン駆動部21はアイコンディスプレイ制御部12からのアイコンデータDICD及びタイミング制御信号DICCに基づいてアイコン駆動信号SICを生成してディスプレイパネル3のアイコン領域31を駆動する。ドット・マトリックス駆動部22はドット・マトリックスディスプレイ制御部13からのドット・マトリックスデータDDMD及びタイミング制御信号DDMCに基づいてドット・マトリックス駆動信号SDMを生成してディスプレイパネル3のドット・マトリックス領域32を駆動する。直流-直流変換器4は、入力直流電圧としてのバッテリー電圧VBAをコイルによって昇圧し、該昇圧されたブースト電圧V1をドット・マトリックス駆動部22及びアイコン駆動部21に供給する。
【００１７】
以上のように、本発明の好適な実施の形態に係るディスプレイパネルの駆動装置によれば、第1発振器によって第1周波数のパルスを含む第1クロック信号がドット・マトリックスディスプレイ制御部に供給され、第2発振器によって前記第1周波数より低い第2周波数のパルスを含む第2クロック信号がアイコンディスプレイ制御部に供給される。これにより、駆動電力の効率性が向上し応用装置の消費電力が低減されうる。なぜならば、前記アイコンディスプレイ制御部に必要なクロック信号の周波数がドット・マトリックスディスプレイ制御部に必要なクロック信号の周波数より低いからである。このような効果は、前記アイコン領域が常に表示される応用装置、例えば、携帯電話などでより高まり、バッテリー充電回数と関連して使用者の利便性を向上させることができる。
【００１８】
本発明は、前記実施形態に限定されず、特許請求の範囲の記載に基づいて定められる発明の思想及び範囲内で当業者によって変形及び改良されうる。
【産業上の利用可能性】
【００１９】
ディスプレイパネルの駆動電力の効率性が向上し消費電力を低減することができる。
【図面の簡単な説明】
【００２０】
【図１】従来のディスプレイパネルの駆動装置を示す図面である。
【図２】本発明の一実施形態によるディスプレイパネルの駆動装置を示す図面である。
【符号の説明】
【００２１】
1 ディスプレイ制御部
DIM 映像データ
11 メインディスプレイ制御部
DIC、DICD アイコンデータ
DDM、DDMD ドット・マトリックスデータ
CLK1 共通クロック信号
12 アイコンディスプレイ制御部
14、141、142 発振器
13 ドット・マトリックスディスプレイ制御部
15 メモリ
DICC、DDMC タイミング制御信号
VBA バッテリー電圧
VDD 制御用直流電圧
V1 ブーズTE電圧
21 アイコン駆動部
4 直流-直流変換器
22 ドット・マトリックス駆動部
SIC アイコン駆動信号
SDM ドット・マトリックス駆動信号
3 ディスプレイパネル
31 アイコン領域
32 ドット・マトリックス領域
【図１】
2004334202.tif 000003
【図２】
2004334202.tif 000004